(57)【要約】【課題】第１のパネルの上に第２のパネルを被せる作業を容易に行えるテレビを得ることにある。【解決手段】実施形態によれば、テレビは、カバー、第１のパネルおよび第２のパネルを備えている。第１のパネルは、表示面を有する。第２のパネルは、第１のパネルの表示面を覆うように第１のパネルに被せられている。第２のパネルの縁部に保持部材が固定されている。保持部材は、第２のパネルの周囲に突出された突出部を有している。さらに、カバーに受け部が設けられている。突出部は、第１のパネルに対し斜めの向きとなるような姿勢に第２のパネルを傾けた状態で受け部に突き当たる。第２のパネルは、カバーの受け部に突き当てられた突出部の先端を支点として第１のパネルに向けて回動される。この回動により、第２のパネルが第１のパネルの表示面を覆うように第１のパネルに積層される。【選択図】図４
2012137671.tif 000002
【特許請求の範囲】
【請求項１】
表示面を有する第１のパネルと、
前記第１のパネルの前記表示面を覆うように前記第１のパネルに被せられた第２のパネルと、
前記第２のパネルの縁部に固定され、前記第２のパネルの周囲に突出された突出部を有する保持部材と、
前記第１のパネルに対し前記突出部が斜めの向きとなる姿勢に前記第２のパネルを傾けた状態で前記突出部の先端が突き当たる受け部を有するカバーと、を具備し、
前記受け部に突き当てられた前記突出部の先端を支点として前記第２のパネルを前記第１のパネルに向けて回動させることで、前記第２のパネルが前記第１のパネルの前記表示画面を覆うように前記第１のパネルに積層されたテレビ。
【請求項２】
請求項１の記載において、前記第２のパネルを前記第１のパネルに向けて回動させる時に前記第１のパネルと前記第２のパネルとの間に気体が供給されたテレビ。
【請求項３】
請求項２の記載において、前記気体が圧縮空気であるテレビ。
【請求項４】
請求項３の記載において、前記受け部は、前記カバーの内面から起立された第１の壁と、前記第１の壁の先端から前記第２の壁と交差する方向に延出された第２の壁と、を含み、前記第２のパネルを回動させる時の支点となる前記突出部の先端は、前記第２の壁の下方で前記第１の壁に突き当てられたテレビ。
【請求項５】
請求項４の記載において、前記突出部の先端が前記カバーの内面と前記第２の壁との間の隙間に挿入されたテレビ。
【請求項６】
請求項５の記載において、前記突出部の先端が前記第１の壁と前記カバーの内面とで規定された角部に突き当てられたテレビ。
【請求項７】
請求項６の記載において、前記第１のパネルは液晶表示パネルであり、前記第２のパネルが透明であるテレビ。
【請求項８】
第１のパネルと、
前記第１のパネルに重ねられた第２のパネルと、
前記第２のパネルの縁部から前記第２のパネルの周囲に突出された突出部と、
前記第１のパネルに対し前記突出部が斜めの向きとなる第１の位置と、前記第１のパネルに対し前記突出部が沿った向きとなる第２の位置との間で前記突出部の先端を突き当て可能な第１の壁と、前記第２の位置から前記突出部が前記第１のパネルから離れる方向への移動を抑制可能な第２の壁と、を有するカバーと、を具備し、
前記第１の壁に突き当てられた前記突出部の先端を支点として前記第２のパネルを前記第１のパネルに向けて回動させることで、前記第２のパネルが前記第１のパネルに積層された電子機器。
【請求項９】
請求項８の記載において、前記第２のパネルを前記第１のパネルに向けて回動させる時に前記第１のパネルと前記第２のパネルとの間に気体が供給された電子機器。
【請求項１０】
請求項９の記載において、前記気体が圧縮空気である電子機器。
【請求項１１】
請求項１０の記載において、前記第２のパネルを回動させる時の支点となる前記突出部の先端は、前記第２の壁の下方で前記第１の壁に突き当てられた電子機器。
【請求項１２】
請求項１１の記載において、前記第２の壁に臨むように前記第１の壁から延出された第３の壁をさらに備えており、前記第２のパネルを回動させる時の支点となる前記突出部の先端が前記第２の壁と前記第３の壁との間の隙間に挿入された電子機器。
【請求項１３】
請求項１２の記載において、前記突出部の先端が前記第１の壁と前記第３の壁とで規定された角部に突き当てられた電子機器。
【請求項１４】
請求項１１の記載において、前記第１の壁の側縁と前記第２の壁の側縁との間を結ぶ第４の壁をさらに備えた電子機器。
【請求項１５】
請求項１０の記載において、前記突出部は、前記第１のパネルに前記第２のパネルを重ねた状態で前記カバーに固定具を介して固定された電子機器。
【請求項１６】
請求項１５の記載において、前記第２のパネルは、前記カバーと協働して前記第１のパネルを挟み込んだ電子機器。
【請求項１７】
請求項１６の記載において、前記第２のパネルを露出させる開口部が設けられたフロントカバーをさらに備えており、前記フロントカバーは、前記カバーと協働して前記第１および第２のパネルを収容する筐体を構成するとともに、前記固定具を介して前記カバーに固定された電子機器。
【請求項１８】
表示面を有する第１のパネルと、
前記表示面を覆うように前記第１のパネルに積層された第２のパネルと、
前記第１のパネルと前記第２のパネルとの間に介在された保持部材と、
前記保持部材に設けられ、前記第２のパネルの周囲に突出された突出部と、
前記第１のパネルに対し前記突出部が斜めの向きとなる姿勢に前記第２のパネルを傾けた状態で前記突出部の先端が突き当たる受け部を有するカバーと、を具備し、
前記受け部に突き当てられた前記突出部の先端を支点として前記第２のパネルを前記第１のパネルに向けて回動させることで、前記第２のパネルが前記第１のパネルの前記表示面を覆うように前記第１のパネルに積層された電子機器。
【発明の詳細な説明】
【技術分野】
【０００１】
本発明の実施形態は、テレビおよび電子機器に関する。
【背景技術】
【０００２】
例えば手書き文字認識機能を有するテレビあるいは電子機器は、タッチパネルのような入力パネルを備えている。入力パネルは、液晶表示パネルの表示面を覆うように液晶表示パネルの上に積層されている。
【先行技術文献】
【特許文献】
【０００３】
【特許文献１】特開２００８−２０９７６３号公報
【発明の概要】
【発明が解決しようとする課題】
【０００４】
入力パネルを液晶表示パネルの上に被せる時、作業者は入力パネルを片手で保持しながら入力パネルと液晶表示パネルとの間に圧縮空気を供給している。これにより、入力パネルおよび液晶表示パネルに付着しようとする塵埃を圧縮空気で吹き飛ばしている。
【０００５】
しかしながら、入力パネルに圧縮空気を吹き付けると、入力パネルが圧縮空気の圧力を受けて浮き上がってしまい、入力パネルの姿勢が不安定となる。そのため、入力パネルを液晶表示パネルに被せる際の作業性が悪くなる。
【０００６】
本発明の目的は、第１のパネルに第２のパネルを被せる作業を容易に行うことができるテレビおよび電子機器を得ることにある。
【課題を解決するための手段】
【０００７】
一つの実施形態によれば、テレビは、カバー、第１のパネルおよび第２のパネルを備えている。第１のパネルは、表示面を有する。第２のパネルは、第１のパネルの表示面を覆うように第１のパネルに被せられている。第２のパネルの縁部に保持部材が固定されている。保持部材は、第２のパネルの周囲に突出された突出部を有している。さらに、カバーに受け部が設けられている。突出部は、第１のパネルに対し斜めの向きとなるような姿勢に第２のパネルを傾けた状態でカバーの受け部に突き当たる。第２のパネルは、受け部に突き当てられた突出部の先端を支点として第１のパネルに向けて回動される。この回動により、第２のパネルが第１のパネルの表示面を覆うように第１のパネルに積層される。
【図面の簡単な説明】
【０００８】
【図１】第１の実施形態に係る液晶テレビの正面図。
【図２】第１の実施形態に係る液晶テレビの側面図。
【図３】液晶テレビのテレビ本体の断面図。
【図４】液晶表示パネルに対しタッチパネルを傾けて、保持部材の突出部の先端を受け部に突き当てた状態を示す断面図。
【図５】第２の実施形態に係るポータブルコンピュータの斜視図。
【図６】バックカバーの支持壁の上に液晶表示装置を設置した状態を示す正面図。
【図７】表示モジュールの断面図。
【図８】バックカバーの上に設置された液晶表示パネルに対し保持部材と一体化されたタッチパネルを傾けた状態を示す斜視図。
【図９】タッチパネルに保持部材を固定した状態をタッチパネルの第１の面の方向から見た斜視図。
【図１０】タッチパネルに保持部材を固定した状態をタッチパネルの第２の面の方向から見た斜視図。
【図１１】図８のXI部を拡大して示す斜視図。
【図１２】保持部材の突出部をアンテナカバーの受け部に差し込んだ状態を示す斜視図。
【図１３】液晶表示パネルに対しタッチパネルを傾けて、保持部材の突出部の先端を受け部に突き当てた状態を示す断面図。
【発明を実施するための形態】
【０００９】
［第１の実施形態］
以下第１の実施形態について図１ないし図４を参照して説明する。
【００１０】
図１および図２は、液晶テレビ１を示している。液晶テレビ１は、卓上スタンド２とテレビ本体３とを備えている。
【００１１】
卓上スタンド２は、例えばテレビ台の設置面４の上に置かれているとともに、テレビ本体３を支持している。
【００１２】
図３に示すように、テレビ本体３は、筐体５と、手書き文字認識機能を有する液晶表示装置６と、を備えている。筐体５は、バックカバー８とフロントベゼル９とで構成されている。バックカバー８は、四角い支持壁１０と、支持壁１０の外周縁部から立ち上がる周壁１１と、を有している。フロントベゼル９は、四角い開口部１２を規定する枠形であって、開口部１２を取り囲む前壁１３と、前壁１３の外周縁部から立ち上がる周壁１４とを有している。筐体５は、バックカバー８にフロントベゼル９を被せて、バックカバー８の周壁１１とフロントベゼル９の周壁１４とを互いに突き合わせることで、フラットな箱形に組み立てられている。
【００１３】
液晶表示装置６は、筐体５の内部に収容されている。液晶表示装置６は、液晶表示パネル１６、タッチパネル１７および板金製の保持部材１８を備えている。
【００１４】
液晶表示パネル１６は、第１のパネルの一例であって、四角い形状を有している。液晶表示パネル１６は、映像を表示する表示面１６ａと、表示面１６ａの反対側に位置された背面１６ｂと、を有している。液晶表示パネル１６は、背面１６ｂをバックカバー８の支持壁１０に向けた姿勢でバックカバー８の内側に収められている。
【００１５】
タッチパネル１７は、第２のパネルの一例である。タッチパネル１７は、液晶表示パネル１６と略同じサイズの四角い形状を有している。さらに、タッチパネル１７は、入力面となる第１の面２０ａと、第１の面２０ａの反対側に位置された第２の面２０ｂとを有している。タッチパネル１７は、液晶表示パネル１６の表示面１６ａを覆うように液晶表示パネル１６の上に積層されている。
【００１６】
前記保持部材１８は、例えばタッチパネル１７の外周縁部に沿うような四角い枠形である。図３に示すように、保持部材１８は、例えば両面接着テープ２１を介してタッチパネル１７の第２の面２０ｂの外周部に固定されている。保持部材１８は、液晶表示パネル１６の表示面１６ａの外周部とタッチパネル１７の第２の面２０ｂの外周部との間に介在されている。
【００１７】
タッチパネル１７に接着された保持部材１８は、その複数個所がねじを介してバックカバー８の支持壁１０に固定されている。さらに、保持部材１８は、バックカバー８の支持壁１０と協働して液晶表示パネル１６を挟み込んでいる。この結果、液晶表示パネル１６およびタッチパネル１７は、互いに積層されてバックカバー８の支持壁１０の上に保持されている。タッチパネル１７の第１の面２０ａは、フロントベゼル９の開口部１２から筐体５の外に露出されている。
【００１８】
図３に示すように、保持部材１８は、タッチパネル１７の幅方向に延びる一辺１８ａを有している。一対の突出部２４（一方のみを図示）が保持部材１８の一辺１８ａに一体に形成されている。突出部２４は、保持部材１８の一辺１８ａからタッチパネル１７の周囲に張り出すとともに、タッチパネル１７の幅方向に互いに離れている。さらに、突出部２４は、タッチパネル１７の周囲でバックカバー９の支持壁１０の外周部とフロントベゼル９の前壁１３との間に介在されている。
【００１９】
支持壁１０は、ボス部２５を有している。ボス部２５は、液晶表示パネル１６の周囲で支持壁１０の内面の外周部からフロントベゼル９に向けて突出されている。ボス部２５の先端面に受け部２６が一体に形成されている。受け部２６は、第１の壁２７ａおよび第２の壁２７ｂを有している。
【００２０】
第１の壁２７ａは、ボス部２５の先端面からフロントベゼル９に向けて起立されているとともに、タッチパネル１７の幅方向に沿う所定の幅寸法を有している。第２の壁２７ｂは、第１の壁２７ａの先端からタッチパネル１７に向けて一体的に延出されている。言い換えると、第２の壁２７ｂは、第１の壁２７ａと交差する方向に延びてボス部２５の先端面と向かい合っている。このため、ボス部２５の先端面と第２の壁２７ｂとの間に、液晶表示装置６に向けて開口された隙間２８が形成されている。
【００２１】
次に、テレビ本体３を組み立てる手順について図４を加えて説明する。
【００２２】
まず、バックカバー８にフロントベゼル９を被せる以前に、バックカバー８を水平に保持し、バックカバー８の支持壁１０の内面を上向きとする。この状態で、支持壁１０の内面の所定の位置に液晶表示パネル１６を設置する。
【００２３】
次に、作業者は、保持部材１８が接着されたタッチパネル１７を液晶表示パネル１６の上に被せる作業に移る。この際、作業者は、液晶表示パネル１６に対し保持部材１８の突出部２４が斜め下向きとなる姿勢にタッチパネル１７を傾けるとともに、突出部２４の先端を受け部２６に突き当てる。
【００２４】
具体的には、図４に示すように、液晶表示パネル１６に対しタッチパネル１７を傾けたまま、突出部２４の先端をボス部２５の先端面と第２の壁２７ｂとの間の隙間２８に挿入する。それとともに、突出部２４の先端をボス部２５の先端面と第１の壁２７ａとで規定された角部２９に突き当てる。
【００２５】
これにより、タッチパネル１７がバックカバー８に一時的に保持され、液晶表示パネル１６に対するタッチパネル１７の傾き角度αが定まる。
【００２６】
次に、作業者は、一方の手でタッチパネル１７を保持してタッチパネル１７を傾いた姿勢に保持する。それとともに、作業者は、例えば他方の手でエアガンを保持して液晶表示パネル１６とタッチパネル１７との間の領域に気体の一例である圧縮空気を供給する。この際、タッチパネル１７の傾き角度αは、圧縮空気を液晶表示パネル１６およびタッチパネル１７の双方に吹き付け易い角度とすることが望ましい。
【００２７】
液晶表示パネル１６およびタッチパネル１７に圧縮空気を吹き付けることで、液晶表示パネル１６およびタッチパネル１７に付着しようとする空気中の塵埃が除去される。
【００２８】
次に、作業者は、液晶表示パネル１６およびタッチパネル１７に圧縮空気を吹き付けながら、受け部２６に突き当てられた突出部２４の先端を支点としてタッチパネル１７を液晶表示パネル１６に向けて回動させる。この回動により、タッチパネル１７が液晶表示パネル１６の表示面１６ａを覆うように液晶表示パネル１６の上に積層される。
【００２９】
タッチパネル１７が液晶表示パネル１６の上に積層された状態で、保持部材１８をバックカバー８の支持壁１０に固定する。最後に、バックカバー８にフロントベゼル９を被せる。
【００３０】
このような第１の実施形態によれば、保持部材１８の一辺１８ａからタッチパネル１７の周囲に突出された突出部２４の先端をバックカバー８の受け部２６に突き当てることで、タッチパネル１７がバックカバー８に仮止めされる。そのため、タッチパネル１７を液晶表示パネル１６に対して傾けた姿勢に容易に保持することができる。
【００３１】
よって、タッチパネル１７を液晶表示パネル１６の上に被せるに当たって、タッチパネル１７と液晶表示パネル１６との間の領域に圧縮空気を供給しても、タッチパネル１７が圧縮空気の圧力を受けて浮き上がったり、ぐらつくのを防止できる。
【００３２】
しかも、突出部２４の先端を受け部２６に突き当てた状態では、受け部２６の第２の壁２７ｂが突出部２４の先端の上に張り出している。このため、タッチパネル１７が圧縮空気により押し上げられたとしても、第２の壁２７ｂが突出部２４の先端に突き当たって、タッチパネル１７の浮き上がりを防止する。
【００３３】
この結果、タッチパネル１７の姿勢が安定し、圧縮空気をタッチパネル１７や液晶表示パネル１６に吹き付ける作業を容易に行うことができる。
【００３４】
加えて、受け部２６に突き当てられた突出部２４の先端は、タッチパネル１７を液晶表示パネル１６に向けて回動させる際の支点となる。このため、タッチパネル１７をぐらつくことなく安定した軌跡を描いて回動させることができる。よって、圧縮空気で塵埃を吹き飛ばしつつ、液晶表示パネル１６の上にタッチパネル１７を被せる作業を容易に行うことができる。
【００３５】
第１の実施形態では、液晶表示パネルを第１のパネルとしたが、液晶表示パネルの代わりに、例えば有機ＥＬパネルのような他の表示パネルを用いてもよい。
【００３６】
さらに、液晶表示パネルの上に被せる第２のパネルは、タッチパネルに限らない。例えば、液晶表示パネルの表示面を保護する透明な保護板あるいはプライバシーフィルタを第２のパネルとしてもよい。
【００３７】
［第２の実施形態］
図５ないし図１３は、第２の実施形態を開示している。
【００３８】
図５は、電子機器の一例であるポータブルコンピュータ３１を開示している。ポータブルコンピュータ３１は、本体モジュール３２と、本体モジュール３２に回動可能に支持された表示モジュール３３と、を具備している。
【００３９】
本体モジュール３２は、フラットな箱形の第１の筐体３４を備えている。第１の筐体３４は、例えばＣＰＵが実装されたマザーボードおよびハードディスク駆動装置のような主要な要素を収容している。キーボード３５が第１の筐体３４の上面に設置されている。
【００４０】
図７に示すように、表示モジュール３３は、第２の筐体３７と液晶表示装置３８とを備えている。第２の筐体３７は、バックカバー３９、アンテナカバー４０およびフロントカバー４１で構成されている。
【００４１】
バックカバー３９は、例えばマグネシウム合金のような金属材料で射出成形されている。図６ないし図８に示すように、バックカバー３９は、四角い支持壁４２、支持壁４２の左側縁、右側縁および下縁から立ち上がる周壁４３を有している。
【００４２】
アンテナカバー４０は、合成樹脂材料で射出成形されている。アンテナカバー４０は、支持壁４２の上縁の外周面に取り付けられて、支持壁４２の幅方向に延びている。アンテナカバー４０は、支持壁４２の上縁から支持壁４２の周囲に張り出す延長部４４と、前記バックカバー３９の周壁４３に連続する第１の側壁４５ａおよび第２の側壁４５ｂとを有している。延長部４４は、支持壁４２の幅方向に延びているとともに、第１の側壁４５ａおよび第２の側壁４５ｂに連続している。
【００４３】
フロントカバー４１は、例えば合成樹脂材料で射出成形されている。フロントカバー４１は、四角い開口部４７を規定する枠形であって、開口部４７を取り囲む前壁４８と、前壁４８の外周縁から立ち上がる周壁４９と、を有している。
【００４４】
第２の筐体３７は、バックカバー３９にフロントカバー４１を被せて、バックカバー３９の周壁４３とフロントカバー４１の周壁４９とを突き合わせることで、フラットな箱形に組み立てられている。さらに、アンテナカバー４０の延長部４４の先端、第１の側壁４５ａおよび第２の側壁４５ｂがフロントカバー４１の周壁４９に連なっている。
【００４５】
液晶表示装置３８は、第２の筐体３７の内部に収容されている。液晶表示装置３８は、液晶表示パネル５１、タッチパネル５２および保持部材５３を備えている。
【００４６】
液晶表示パネル５１は、第１のパネルの一例であって、四角い形状を有している。液晶表示パネル５１は、画像を表示する表示面５１ａと、表示面５１ａの反対側に位置された背面５１ｂと、を有している。液晶表示パネル５１は、背面５１ｂをバックカバー３９の支持壁４２に向けた姿勢でバックカバー３９の内側に収められている。
【００４７】
第２の実施形態では、支持壁４２の内面および液晶表示パネル５１の周囲に位置された起立壁５４の側面に、液晶表示パネル５１を受け止めるスポンジのようなクッション材５５が貼り付けられている。
【００４８】
タッチパネル５２は、第２のパネルの一例である。タッチパネル５２は、図示しない透明電極が設けられた透明基板５６を含んでいる。透明基板５６は、液晶表示パネル５１よりも一回り大きな四角い形状である。
【００４９】
さらに、透明基板５６は、入力面となる第１の面５７ａと、第１の面５７ａの反対側に位置された第２の面５７ｂと、を有している。透明基板５６の第１の面５７ａの上に、例えばスタイラスペンで触れることにより入力操作を実行する四角い入力領域５８が規定されている。入力領域５８は、第１の面５７ａの外周部分を除く第１の面５７ａの大部分を占めている。
【００５０】
タッチパネル５２は、液晶表示パネル５１の表示面５１ａを覆うように液晶表示パネル５１の上に積層されている。これにより、タッチパネル５２の第２の面５７ｂが液晶表示パネル５１の表示面５１ａと向かい合っている。
【００５１】
図９および図１０に示すように、前記保持部材５３は、板金製の本体６１を備えている。本体６１は、透明基板５６の外周縁部に沿うような四角い枠形であり、第１ないし第４の辺６２ａ，６２ｂ，６２ｃ，６２ｄを有している。第１ないし第４の辺６２ａ，６２ｂ，６２ｃ，６２ｄは、夫々透明基板５６の四つの縁に沿うように直線状に延びている。
【００５２】
具体的には、第１の辺６２ａおよび第３の辺６２ｃは、透明基板５６の上縁および下縁に沿って透明基板５６の幅方向に延びている。第２の辺６２ｂおよび第４の辺６２ｄは、透明基板５６の側縁に沿って透明基板５６の高さ方向に延びている。
【００５３】
本体６１の第１ないし第４の辺６２ａ，６２ｂ，６２ｃ，６２ｄは、夫々図７に示す両面接着テープ６３を介して透明基板５６の第２の面５７ｂの外周部に固定されている。本体６１は、透明基板５６の第２の面５７ｂの方向から入力領域５８を取り囲んでいる。
【００５４】
さらに、本体６１は、液晶表示パネル５１の表示面５１ａの外周部と透明基板５６の第２の面５７ｂの外周部との間に介在されている。この結果、液晶表示パネル５１の表示面５１ａと透明基板５６の第２の面５７ｂとの間に、タッチパネル５２の撓みを吸収する隙間６４が確保されている。
【００５５】
第２の実施形態によると、両面接着テープ６３は、コアとなる帯状のインシュレータ層６５と、インシュレータ層６５の表面に積層された第１の接着層６６ａと、インシュレータ層６５の裏面に積層された第２の接着層６６ｂと、を有する三層構造となっている。したがって、インシュレータ層６５の厚さを変更することで、液晶表示パネル５１とタッチパネル５２との間の隙間６４の大きさを調節することができる。
【００５６】
図８ないし図１０に示すように、複数の係合片６８が保持部材５３の第１の辺６２ａ，第２の辺６２ｂおよび第４の辺６２ｄの外周縁に一体に形成されている。係合片６８は、第１の辺６２ａ，第２の辺６２ｂおよび第４の辺６２ｄの外周縁から液晶表示パネル５１に向けて直角に折り曲げられている。
【００５７】
それとともに、係合片６８は、第１の辺６２ａ，第２の辺６２ｂおよび第４の辺６２ｄの長手方向に互いに間隔を存して並んでいる。係合片６８は、タッチパネル５２を液晶表示パネル５１の上に積層した時に、液晶表示パネル５１とタッチパネル５２との相対的な位置合わせを実行する。
【００５８】
図１０に示すように、第１および第２の突出部７０ａ，７０ｂが保持部材５３の第１の辺６２ａに一体に形成されている。第１の突出部７０ａおよび第２の突出部７０ｂは、第１の辺６２ａの長手方向に互いに離れているとともに、第１の辺６２ａからタッチパネル５２の周囲に張り出している。
【００５９】
第２の実施形態では、第１の突出部７０ａは、第１の辺６２ａと第２の辺６２ｂとで規定された本体６１の角部よりも第１の辺６２ａの長手方向に沿う中央部の方向にずれている。同様に、第２の突出部７０ｂは、第１の辺６２ａと第４の辺６２ｄとで規定された本体６１の角部よりも第１の辺６２ａの長手方向に沿う中央部の方向にずれている。
【００６０】
図７に示すように、第１および第２の突出部７０ａ，７０ｂは、タッチパネル５２の周囲でバックカバー３９の支持壁４２の外周部とフロントカバー４１の前壁４８との間に介在されている。
【００６１】
図１１に示すように、バックカバー３９の支持壁４２は、一対の座部７２ａ，７２ｂを有している。座部７２ａ，７２ｂは、保持部材５３の第１および第２の突出部７０ａ，７０ｂに対応する位置で支持壁４２の外周部の内面からフロントカバー４１の前壁４８に向けて突出されている。座部７２ａ，７２ｂは、夫々ねじ孔７３を有している。ねじ孔７３は、座部７２ａ，７２ｂの先端面に開口されている。
【００６２】
図７は、保持部材５３の第１の突出部７０ａ、座部７２ａおよびフロントカバー４１の前壁４８の位置関係を開示している。保持部材５３の第１の突出部７０ａは、座部７２ａの先端面とフロントカバー４１の前壁４８との間に介在されている。第１の突出部７０ａは、ねじ孔７３に合致するねじ挿入孔７４を有している。同様に、前壁４８は、ねじ挿入孔７４を介してねじ孔７３に合致する通孔７５を有している。
【００６３】
図示を省略するが、保持部材５３の第２の突出部７０ｂは、座部７２ｂの先端面とフロントカバー４１の前壁４８との間に介在されている。そのため、第２の突出部７０ｂは、第１の突出部７０ａと同様にねじ挿入孔７４を有している。
【００６４】
保持部材５３の第１および第２の突出部７０ａ，７０ｂは、固定具としてのねじ７７を介して座部７２ａ，７２ｂに固定されている。図７に第１の突出部７０ａの固定部分を代表して示すように、ねじ７７は、前壁４８の通孔７５から第１の突出部７０ａのねじ挿入孔７４を貫通して座部７２ａのねじ孔７３にねじ込まれている。これにより、第１の突出部７０ａおよび前壁４８がねじ７７の頭部７７ａと座部７２ａの先端面との間で挟み込まれている。
【００６５】
したがって、保持部材５３の第１および第２の突出部７０ａ，７０ｂは、フロントカバー４１と一緒にバックカバー３９の座部７２ａに固定されている。この固定により、タッチパネル５２がバックカバー３９の支持壁４２の上に保持されて、保持部材５３の本体６１が液晶表示パネル５１の表示面５１ａの外周部に接している。
【００６６】
保持部材５３の本体６１は、バックカバー３９の支持壁４２と協働して液晶表示パネル５１を挟み込んでいる。この結果、液晶表示パネル５１およびタッチパネル５２は、互いに積層された状態でバックカバー３９の支持壁４２の上に保持されており、タッチパネル５２の入力領域５８がフロントカバー４１の開口部４７から第２の筐体３７の外に露出されている。
【００６７】
第２の実施形態では、ねじ７７の頭部７７ａは、前壁４８の通孔７５を塞ぐゴム製の蓋７８で覆い隠されている。
【００６８】
図７、図１１および図１２に示すように、アンテナカバー４０の延長部４４は、第１および第２の受け部８０ａ，８０ｂを有している。第１および第２の受け部８０ａ，８０ｂは、保持部材５３の第１の辺６２ａと隣り合った位置でアンテナカバー４０の幅方向に互いに離れている。第１および第２の受け部８０ａ，８０ｂは、互いに共通の構成を有するため、第１の受け部８０ａの構成を代表して説明する。
【００６９】
第１の受け部８０ａは、第１ないし第５の壁８１ａ，８１ｂ，８１ｃ，８１ｄ，８１ｅを有している。第１の壁８１ａは、アンテナカバー４０の延長部４４の内面からフロントカバー４１の前壁４８に向けて起立されているとともに、アンテナカバー４０の幅方向に沿う所定の幅寸法を有している。第１の壁８１ａの先端は、第１および第２の突出部７０ａ，７０ｂの先端と向かい合っている。
【００７０】
第２の壁８１ｂは、第１の壁８１ａの先端に一体的に形成されて、第１の壁８１ａの先端からタッチパネル５２に向けて延出されている。言い換えると、第２の壁８１ｂは、第１の壁８１ａと交差する方向に延びている。
【００７１】
第３の壁８１ｃは、第１の壁８１ａの根元に一体的に形成されている。第３の壁８１ｃは、第１の壁８１ａの根元から第２の壁８１ｂと平行に延びて、バックカバー３９の支持壁４２の上縁に重なり合っている。
【００７２】
このため、第３の壁８１ｃは、第２の壁８１ｂに臨むとともに、第２の壁８１ｂとの間にタッチパネル５２に向けて開口された隙間８２を構成している。それとともに、第３の壁８１ｃは、第１の壁８１ａと協働して角部８３を構成している。角部８３は、隙間８２内に露出されている。
【００７３】
第４の壁８１ｄは、第１の壁８１ａの側縁、第２の壁８１ｂの側縁および第３の壁８１ｃの側縁の間を結んでいる。第４の壁８１ｄは、前記隙間８２をアンテナカバー４０の幅方向から塞いで、第１および第２の壁８１ａ，８１ｂを補強している。
【００７４】
第５の壁８１ｅは、第４の壁８１ｄの反対側で第１の壁８１ａの側縁、第２の壁８１ｂの側縁および第３の壁８１ｃの側縁の間を結んでいる。第５の壁８１ｅは、前記隙間８２を第４の壁８１ｄの反対側から塞いで、第１および第２の壁８１ａ，８１ｂを補強している。
【００７５】
したがって、第２の実施形態では、第１ないし第５の壁８１ａ，８１ｂ，８１ｃ，８１ｄ，８１ｅは、互いに協働してタッチパネル５２に向けて開口された凹部８４を構成している。
【００７６】
次に、ポータブルコンピュータ３１の表示モジュール３３を組み立てる手順について図１３を加えて説明する。
【００７７】
まず、アンテナカバー４０が取り付けられたバックカバー３９を水平に保持し、バックカバー３９の支持壁４２の内面およびアンテナカバー４０の延長部４４の内面を上向きとする。この状態でバックカバー３９の支持壁４２の上に液晶表示パネル５１を載置する。
【００７８】
次に、作業者は、保持部材５３が接着されたタッチパネル５２を液晶表示パネル５１の上に被せる作業に移る。この際、作業者は、液晶表示パネル５１に対し保持部材５３の第１および第２の突出部７０ａ，７０ｂが斜め下向きとなる姿勢にタッチパネル５２を傾けるとともに、第１および第２の突出部７０ａ，７０ｂの先端をアンテナカバー４０の第１および第２の受け部８０ａ，８０ｂに突き当てる。
【００７９】
詳しく述べると、図８および図１３に示すように、液晶表示パネル５１に対しタッチパネル５２を傾けたまま、第１および第２の突出部７０ａ，７０ｂの先端を夫々第１および第２の受け部８０ａ，８０ｂの凹部８４内に導く。すなわち、第１および第２の突出部７０ａ，７０ｂの先端を夫々第２の壁８１ｂと第３の壁８１ｃとの間の隙間８２に挿入して、隙間８２内に露出された角部８３に突き当てる。
【００８０】
言い換えると、第１および第２の突出部７０ａ，７０ｂは、液晶表示パネル５１に対し斜めの向きとなる第１の位置と、液晶表示パネル５１に沿うような向きとなる第２の位置との間で移動が可能となっている。そのため、第１および第２の突出部７０ａ，７０ｂの先端は、前記第１の位置と前記第２の位置との間で第１および第２の受け部８０ａ，８０ｂの第１の壁８１ａに突き当たる。
【００８１】
これにより、タッチパネル５２がアンテナカバー４０に一時的に保持され、液晶表示パネル５１に対するタッチパネル５２の傾き角度αが定まる。
【００８２】
次に、作業者は、一方の手でタッチパネル５２を保持してタッチパネル５２を傾いた姿勢に保持する。さらに、作業者は、他方の手でエアガンを保持して液晶表示パネル５１とタッチパネル５２との間の領域に気体の一例である圧縮空気を供給する。この際、タッチパネル５２の傾き角度αは、圧縮空気を液晶表示パネル５１およびタッチパネル５２の双方に吹き付け易い角度とすることが望ましい。
【００８３】
液晶表示パネル５１およびタッチパネル５２に圧縮空気を吹き付けることで、液晶表示パネル５１およびタッチパネル５２に付着しようとする空気中の塵埃が除去される。
【００８４】
次に、作業者は、液晶表示パネル５１およびタッチパネル５２に圧縮空気を吹き付けながら、第１および第２の受け部８０ａ，８０ｂの角部８３に突き当てられた第１および第２の突出部７０ａ，７０ｂの先端を支点としてタッチパネル５２を液晶表示パネル５１に向けて回動させる。この回動により、タッチパネル５２が液晶表示パネル５１の表示面５１ａを覆うように液晶表示パネル５１の上に積層される。
【００８５】
タッチパネル５２が液晶表示パネル５１の上に積層されると、第１および第２の突出部７０ａ，７０ｂが第２の位置となって、第１および第２の突出部７０ａ，７０ｂの先端が第１および第２の受け部８０ａ，８０ｂの第２の壁８１ｂに下方から近づく。第２の壁８１ｂは、第１および第２の突出部７０ａ，７０ｂがタッチパネル５２と一緒に液晶表示パネル５１から離れる方向へ移動するのを抑制する。
【００８６】
さらに、タッチパネル５２が液晶表示パネル５１の上に積層されると、座部７２ａ，７２ｂの先端面の上に重なり合う。それとともに、第１および第２の突出部７０ａ，７０ｂのねじ挿入孔７４と座部７２ａ，７２ｂのねじ孔７３とが互いに合致する。
【００８７】
この状態で、バックカバー３９の上にフロントカバー４１の上に被せて、前壁４８の通孔７５を第１および第２の突出部７０ａ，７０ｂのねじ挿入孔７４に合わせる。引き続いて、ねじ７７を通孔７５からねじ挿入孔７４を通じてねじ孔７３にねじ込む。このねじ込みにより、ねじ７７の頭部７７ａと座部７２ａ，７２ｂの先端面との間でフロントカバー４１の前壁４８および第１および第２の突出部７０ａ，７０ｂが挟み込まれる。
【００８８】
この結果、タッチパネル５２がバックカバー３９の支持壁４２に保持されるとともに、タッチパネル５２と支持壁４２との間で液晶表示パネル５１が挟み込まれる。さらに、バックカバー３９とフロントカバー４１とが互いに結合され、表示モジュール３３の組み立て作業が完了する。
【００８９】
このような第２の実施形態によると、保持部材５３の第１および第２の突出部７０ａ，７０ｂの先端をアンテナカバー４０の第１および第２の受け部８０ａ，８０ｂに突き当てることで、タッチパネル５２がアンテナカバー４０に仮止めされる。そのため、タッチパネル５２を液晶表示パネル５１に対して傾けた姿勢に容易に保持することができる。
【００９０】
よって、タッチパネル５２を液晶表示パネル５１の上に被せるに当たって、タッチパネル５２と液晶表示パネル５１との間の領域に圧縮空気を供給しても、タッチパネル５２が圧縮空気の圧力を受けて浮き上がったり、ぐらつくのを防止できる。
【００９１】
しかも、第１および第２の突出部７０ａ，７０ｂの先端を第１および第２の受け部８０ａ，８０ｂに突き当てた状態では、第２の壁８１ｂが第１および第２の突出部７０ａ，７０ｂの先端の上に張り出している。このため、たとえタッチパネル５２が圧縮空気により押し上げられたとしても、第２の壁８１ｂが第１および第２の突出部７０ａ，７０ｂの先端を上から押さえ込み、タッチパネル５２の浮き上がりを防止する。
【００９２】
さらに、第２の実施形態によると、第１および第２の受け部８０ａ，８０ｂは、夫々第４および第５の壁８１ｄ，８１ｅを有している。第４および第５の壁８１ｄ，８１ｅは、第１ないし第３の壁８１ａ，８１ｂ，８１ｃと協働してタッチパネル５２に向けて開口された凹部８４を構成している。
【００９３】
この構成によれば、第１および第２の突出部７０ａ，７０ｂの先端が凹部８４内に導かれた状態では、第１および第２の突出部７０ａ，７０ｂの先端が第４の壁８１ｄと第５の壁８１ｅとの間でタッチパネル５２の幅方向から挟み込まれている。このため、例えば第１および第２の突出部７０ａ，７０ｂの先端を第１および第２の受け部８０ａ，８０ｂに突き当てた時、あるいはタッチパネル５２を回動させた時に、第１および第２の突出部７０ａ，７０ｂがタッチパネル５２の幅方向にずれようとしても、第１および第２の突出部７０ａ，７０ｂの動きを第４および第５の壁８１ｄ，８１ｅによって規制することができる。
【００９４】
したがって、タッチパネル５２の姿勢が安定し、圧縮空気をタッチパネル５２や液晶表示パネル５１に吹き付ける作業を容易に行うことができる。
【００９５】
加えて、保持部材５３の第１の辺６２ａ，第２の辺６２ｂおよび第４の辺６２ｄから液晶表示パネル５１に向けて折り返された複数の係合片６８は、互いに間隔を存して並んでいる。すなわち、隣り合う係合片６８が離れているので、タッチパネル５２と液晶表示パネル５１との間に供給された圧縮空気が係合片６８の間を通ってタッチパネル５２と液晶表示パネル５１との間から抜け出ることになる。
【００９６】
したがって、タッチパネル５２の回動に伴ってタッチパネル５２と液晶表示パネル５１との間の間隔が狭くなっても、圧縮空気の抜け道を確保することができ、この点でもタッチパネル５２が浮き上がり難くなる。
【００９７】
さらに、第１および第２の受け部８０ａ，８０ｂに突き当てられた第１および第２の突出部７０ａ，７０ｂの先端は、タッチパネル５２を液晶表示パネル５１に向けて回動させる際の支点となる。このため、タッチパネル５２をぐらつくことなく安定した軌跡を描いて回動させることが可能となる。
【００９８】
よって、圧縮空気で塵埃を吹き飛ばしつつ、液晶表示パネル５１の上にタッチパネル５２を被せる作業を容易に行うことができ、表示モジュール３３の組み立て時の作業性が向上するといった利点がある。
【００９９】
第１および第２の突出部は、タッチパネルに接着された保持部材に形成することに限定されない。例えば、タッチパネルの一つ縁部に液晶表示パネルの周囲に張り出す突出部を形成し、タッチパネルの突出部の先端を受け部に突き当てるようにしてもよい。
【０１００】
それとともに、前記タッチパネルに突出部にねじが通るねじ挿通孔を形成し、タッチパネルを直接バックカバー又はアンテナカバーに固定するようにしてもよい。
【０１０１】
さらに、第２の実施形態では、保持部材の第１および第２の突出部をアンテナカバーの座部にねじで固定している。しかしながら、第２の実施形態を実施するに当たっては、保持部材のうち第１および第２の突出部を外れた位置にタッチパネルの周囲に張り出す複数の固定片を設け、これら固定片をアンテナカバー又はバックカバーにねじで固定するようにしてもよい。
【０１０２】
本発明のいくつかの実施形態を説明したが、これらの実施形態は、例として提示したものであり、発明の範囲を限定することは意図していない。これら新規な実施形態は、その他の様々な形態で実施されることが可能であり、発明の主旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１０３】
８，３９，４０…カバー（バックカバー、アンテナカバー）、１６，５１…第１のパネル（液晶表示パネル）、１６ａ，５１ａ…表示面、１７，５２…第２のパネル（タッチパネル）、１８，５３…保持部材、２４，７０ａ，７０ｂ…突出部（第１の突出部、第２の突出部）、２６，８０ａ，８０ｂ…受け部（第１の受け部、第２の受け部）、８１ａ…第１の壁、８１ｂ…第２の壁。
【図１】
2012137671.tif 000003
【図２】
2012137671.tif 000004
【図３】
2012137671.tif 000005
【図４】
2012137671.tif 000006
【図５】
2012137671.tif 000007
【図６】
2012137671.tif 000008
【図７】
2012137671.tif 000009
【図８】
2012137671.tif 000010
【図９】
2012137671.tif 000011
【図１０】
2012137671.tif 000012
【図１１】
2012137671.tif 000013
【図１２】
2012137671.tif 000014
【図１３】
2012137671.tif 000015
【手続補正書】
【提出日】平成24年2月6日(2012.2.6)
【手続補正１】
【補正対象書類名】特許請求の範囲
【補正対象項目名】全文
【補正方法】変更
【補正の内容】
【特許請求の範囲】
【請求項１】
表示面を有する第１のパネルと、
前記第１のパネルに被せられ、前記第１のパネルの前記表示面を覆った第２のパネルと、
前記第２のパネルに設けられ、前記第２のパネルの周囲に突出された突出部を有する保持部材と、
前記保持部材の前記突出部が固定されたカバーを含む筐体と、
前記筐体に設けられた受け部と、を具備し、
前記受け部は、
前記第２のパネルを前記第１のパネルに対し傾けた状態で前記突出部の先端を受け止め可能な第一壁部と、
前記突出部を間に挟んで向かい合う一対の第二壁部と、
前記突出部が前記カバーに固定された状態において前記突出部の前記先端から離れた位置で当該先端を前記カバーとは反対側から覆った第三壁部と、を含み、
前記第一壁部で受け止められた前記突出部の前記先端を支点として前記第２のパネルを前記第１のパネルに向けて回動させるとともに、前記突出部を前記カバーに固定することで前記第２のパネルが前記第１のパネルの前記表示面を覆った電子機器。
【請求項２】
第１のパネルと、
前記第１のパネルに重ねられた第２のパネルと、
前記第２のパネルの周囲に突出された突出部と、
前記突出部が固定されたカバーを含む筐体と、
前記第２のパネルを前記第１のパネルに対し傾けた状態で前記突出部が突き当て可能に前記筐体に設けられ、前記第２のパネルを前記第１のパネルに向けて回動させる際の支点となる部分を有する第一壁部と、
前記筐体に設けられ、前記第２のパネルが前記第１のパネルに重ねられる方向とは交差する少なくとも二方向から前記突出部を覆った第二壁部と、
前記筐体に設けられ、前記カバーの反対側から前記突出部を覆うとともに、当該突出部が前記カバーに固定された状態において前記突出部から離れた第三壁部と、
を具備した電子機器。
【請求項３】
請求項１又は請求項２の記載において、前記第２のパネルは、長辺および短辺を有し、前記突出部は、前記長辺に対応した位置に設けられた電子機器。
【請求項４】
請求項３の記載において、前記突出部は、前記第２のパネルの一つの長辺のみに設けられた電子機器。
【請求項５】
請求項１の記載において、前記第２のパネルは、長辺および短辺を有し、前記突出部の前記先端を受け止め可能な前記第一壁部は、前記突出部の前記先端に対し前記第２のパネルの前記短辺に沿った方向から面するとともに、前記突出部を間に挟んで向かい合う前記第二壁部は、前記突出部の前記先端に対し前記第２のパネルの前記長辺に沿った方向から面する電子機器。
【請求項６】
請求項１の記載において、前記受け部は、前記第２のパネルを前記第１のパネルに向けて回動させる時に、前記突出部の前記先端が突き当てられる角部を有する電子機器。
【手続補正３】
【補正対象書類名】明細書
【補正対象項目名】０００１
【補正方法】変更
【補正の内容】
【０００１】
本発明の実施形態は、電子機器に関する。
【手続補正４】
【補正対象書類名】明細書
【補正対象項目名】０００６
【補正方法】変更
【補正の内容】
【０００６】
本発明の目的は、第１のパネルに第２のパネルを被せる作業を容易に行うことができる電子機器を得ることにある。
【手続補正５】
【補正対象書類名】明細書
【補正対象項目名】０００７
【補正方法】変更
【補正の内容】
【０００７】
一つの実施形態によれば、電子機器は、表示面を有する第１のパネルと、前記第１のパネルに被せられ、前記第１のパネルの前記表示面を覆った第２のパネルと、前記第２のパネルに設けられ、前記第２のパネルの周囲に突出された突出部を有する保持部材と、前記保持部材の前記突出部が固定されたカバーを含む筐体と、前記筐体に設けられた受け部と、を具備している。
前記受け部は、前記第２のパネルを前記第１のパネルに対し傾けた状態で前記突出部の先端を受け止め可能な第一壁部と、前記突出部を間に挟んで向かい合う一対の第二壁部と、前記突出部が前記カバーに固定された状態において前記突出部の前記先端から離れた位置で当該先端を前記カバーとは反対側から覆った第三壁部と、を含み、
前記第一壁部で受け止められた前記突出部の前記先端を支点として前記第２のパネルを前記第１のパネルに向けて回動させるとともに、前記突出部を前記カバーに固定することで前記第２のパネルが前記第１のパネルの前記表示面を覆ったことを特徴とする。
【手続補正６】
【補正対象書類名】明細書
【補正対象項目名】００８６
【補正方法】変更
【補正の内容】
【００８６】
さらに、タッチパネル５２が液晶表示パネル５１の上に積層されると、第１および第２の突出部７０ａ，７０ｂが座部７２ａ，７２ｂの先端面の上に重なり合う。それとともに、第１および第２の突出部７０ａ，７０ｂのねじ挿入孔７４と座部７２ａ，７２ｂのねじ孔７３とが互いに合致する。
【手続補正７】
【補正対象書類名】明細書
【補正対象項目名】０１０２
【補正方法】変更
【補正の内容】
【０１０２】
本発明のいくつかの実施形態を説明したが、これらの実施形態は、例として提示したものであり、発明の範囲を限定することは意図していない。これら新規な実施形態は、その他の様々な形態で実施されることが可能であり、発明の趣旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
以下に、本願出願の当初の特許請求の範囲に記載された発明を付記する。
[１] 表示面を有する第１のパネルと、
前記第１のパネルの前記表示面を覆うように前記第１のパネルに被せられた第２のパネルと、
前記第２のパネルの縁部に固定され、前記第２のパネルの周囲に突出された突出部を有する保持部材と、
前記第１のパネルに対し前記突出部が斜めの向きとなる姿勢に前記第２のパネルを傾けた状態で前記突出部の先端が突き当たる受け部を有するカバーと、を具備し、
前記受け部に突き当てられた前記突出部の先端を支点として前記第２のパネルを前記第１のパネルに向けて回動させることで、前記第２のパネルが前記第１のパネルの前記表示画面を覆うように前記第１のパネルに積層されたテレビ。
[２] 前記第２のパネルを前記第１のパネルに向けて回動させる時に前記第１のパネルと前記第２のパネルとの間に気体が供給された[１]に記載のテレビ。
[３] 前記気体が圧縮空気である[２]に記載のテレビ。
[４] 前記受け部は、前記カバーの内面から起立された第１の壁と、前記第１の壁の先端から前記第２の壁と交差する方向に延出された第２の壁と、を含み、前記第２のパネルを回動させる時の支点となる前記突出部の先端は、前記第２の壁の下方で前記第１の壁に突き当てられた[３]に記載のテレビ。
[５] 前記突出部の先端が前記カバーの内面と前記第２の壁との間の隙間に挿入された[４]に記載のテレビ。
[６] 前記突出部の先端が前記第１の壁と前記カバーの内面とで規定された角部に突き当てられた[５]に記載のテレビ。
[７] 前記第１のパネルは液晶表示パネルであり、前記第２のパネルが透明である[６]に記載のテレビ。 
[８] 第１のパネルと、
前記第１のパネルに重ねられた第２のパネルと、
前記第２のパネルの縁部から前記第２のパネルの周囲に突出された突出部と、
前記第１のパネルに対し前記突出部が斜めの向きとなる第１の位置と、前記第１のパネルに対し前記突出部が沿った向きとなる第２の位置との間で前記突出部の先端を突き当て可能な第１の壁と、前記第２の位置から前記突出部が前記第１のパネルから離れる方向への移動を抑制可能な第２の壁と、を有するカバーと、を具備し、
前記第１の壁に突き当てられた前記突出部の先端を支点として前記第２のパネルを前記第１のパネルに向けて回動させることで、前記第２のパネルが前記第１のパネルに積層された電子機器。
[９] 前記第２のパネルを前記第１のパネルに向けて回動させる時に前記第１のパネルと前記第２のパネルとの間に気体が供給された[８]に記載の電子機器。
[１０] 前記気体が圧縮空気である[９]に記載の電子機器。
[１１] 前記第２のパネルを回動させる時の支点となる前記突出部の先端は、前記第２の壁の下方で前記第１の壁に突き当てられた[１０]に記載の電子機器。
[１２] 前記第２の壁に臨むように前記第１の壁から延出された第３の壁をさらに備えており、前記第２のパネルを回動させる時の支点となる前記突出部の先端が前記第２の壁と前記第３の壁との間の隙間に挿入された[１１]に記載の電子機器。
[１３] 前記突出部の先端が前記第１の壁と前記第３の壁とで規定された角部に突き当てられた[１２]に記載の電子機器。
[１４] 前記第１の壁の側縁と前記第２の壁の側縁との間を結ぶ第４の壁をさらに備えた[１１]に記載の電子機器。
[１５] 前記突出部は、前記第１のパネルに前記第２のパネルを重ねた状態で前記カバーに固定具を介して固定された[１０]に記載の電子機器。
[１６] 前記第２のパネルは、前記カバーと協働して前記第１のパネルを挟み込んだ[１５]に記載の電子機器。
[１７] 前記第２のパネルを露出させる開口部が設けられたフロントカバーをさらに備えており、前記フロントカバーは、前記カバーと協働して前記第１および第２のパネルを収容する筐体を構成するとともに、前記固定具を介して前記カバーに固定された[１６]に記載の電子機器。
[１８] 表示面を有する第１のパネルと、
前記表示面を覆うように前記第１のパネルに積層された第２のパネルと、
前記第１のパネルと前記第２のパネルとの間に介在された保持部材と、
前記保持部材に設けられ、前記第２のパネルの周囲に突出された突出部と、
前記第１のパネルに対し前記突出部が斜めの向きとなる姿勢に前記第２のパネルを傾けた状態で前記突出部の先端が突き当たる受け部を有するカバーと、を具備し、
前記受け部に突き当てられた前記突出部の先端を支点として前記第２のパネルを前記第１のパネルに向けて回動させることで、前記第２のパネルが前記第１のパネルの前記表示面を覆うように前記第１のパネルに積層された電子機器。
【手続補正８】
【補正対象書類名】明細書
【補正対象項目名】０１０３
【補正方法】変更
【補正の内容】
【０１０３】
３７…筐体（第２の筐体）、３９…カバー（バックカバー）、５１…第１のパネル（液晶表示パネル）、５２…第２のパネル（タッチパネル）、５３…保持部材、７０ａ，７０ｂ…突出部（第１の突出部、第２の突出部）、８０ａ，８０ｂ…受け部（第１の受け部、第２の受け部）、８１ａ…第一壁部（第１の壁）、８１ｄ，８１ｅ…第二壁部（第４の壁、第５の壁）、８１ｂ…第三壁部（第２の壁）。